(57)【要約】【課題】ビルトイン式コンロＣの下側に設けられていたオーブンに代えて設置されるコンロ下側キャビネットＡであって、床面に配置された屋内ガス配管Ｄとコンロ用可撓管Ｅの接続具合を簡単に確認できるようにしたものを提供する。【解決手段】キャビネットＡは、左右両側の側板１と、両側板１の後端間に設けられる背板３と、両側板１の前端間に設けられる開閉自在な前面扉４と、両側板１の下端から所定高さ上方位置で両側板１間に設けられる底板５とを備える。底板５は取り外し自在とする。好ましくは、底板５の下面を受ける前後一対の横桟６Ｆ，６Ｒを設け、後側の横桟６Ｒと背板３との間の隙間に底板５の後端を差し込んだ状態で、前側の横桟６Ｆに形成した係合孔６ａに底板５の下面に突設した突起５ａを上方から挿入して、底板５を前後方向に位置決めする。【選択図】図１
2015217117.tif 000002
【特許請求の範囲】
【請求項１】
ビルトイン式コンロの下側に設けられていたオーブンに代えて設置されるコンロ下側キャビネットであって、
左右両側の側板と、両側板の後端間に設けられる背板と、両側板の前端間に設けられる開閉自在な前面扉と、両側板の下端から所定高さ上方位置で両側板間に設けられる底板とを備え、底板は取り外し自在であることを特徴とするコンロ下側キャビネット。
【請求項２】
前記両側板間に底板の下面を受ける前後一対の横桟が架設され、背板の下端が後側の横桟の上方に隙間を存して対向し、この隙間に底板の後端が差し込まれた状態で、前側の横桟に形成した係合孔に底板の下面に突設した突起が上方から挿入されて、底板が前後方向に位置決めされることを特徴とする請求項１記載のコンロ下側キャビネット。
【発明の詳細な説明】
【技術分野】
【０００１】
本発明は、ビルトイン式コンロの下側に設けられていたオーブンに代えて設置されるコンロ下側キャビネットに関する。
【背景技術】
【０００２】
従来、ビルトイン式コンロの下側にオーブンを設ける場合、オーブンの下の床面に配置された屋内ガス配管に可撓管を介してオーブンのガス入口を接続し、このガス入口から分岐した中継ガス管をオーブンに付設して、中継ガス管から第２の可撓管を介してコンロのガス入口にガスを供給している（例えば、特許文献１参照）。
【０００３】
また、オーブンが不要になった場合、ビルトイン式コンロの下側にオーブンに代えてコンロ下側キャビネットを設置し、コンロ下側の空間を収納スペースに活用することが望まれる。この場合、キャビネットの左右両側の側板の下端から所定高さ上方に位置させて両側板間に底板を架設しておけば、キャビネットを設置する際に、床面に配置された屋内ガス配管や上記中継ガス管に代えて屋内ガス配管に接続するコンロ用可撓管にキャビネットの底板が干渉することを防止できる。
【０００４】
但し、一般のキャビネットの如く底板が固定されていると、定期的なガス漏れ検診で屋内ガス配管とコンロ用可撓管の接続具合を確認する度に、キャビネットを取り出すことが必要になり、検診作業が非常に面倒になる。
【先行技術文献】
【特許文献】
【０００５】
【特許文献１】特開２００４−２５１５１９号公報
【発明の概要】
【発明が解決しようとする課題】
【０００６】
本発明は、以上の点に鑑み、床面に配置された屋内ガス配管とコンロ用可撓管の接続具合を簡単に確認できるようにしたコンロ下側キャビネットを提供することをその課題としている。
【課題を解決するための手段】
【０００７】
上記課題を解決するために、本発明は、ビルトイン式コンロの下側に設けられていたオーブンに代えて設置されるコンロ下側キャビネットであって、左右両側の側板と、両側板の後端間に設けられる背板と、両側板の前端間に設けられる開閉自在な前面扉と、両側板の下端から所定高さ上方位置で両側板間に設けられる底板とを備え、底板は取り外し自在であることを特徴とする。
【０００８】
本発明によれば、キャビネットを取り出さなくても、底板を取外すだけで、床面に配置された屋内ガス配管とコンロ用可撓管の接続具合を簡単に確認でき、ガス漏れ検診作業が容易になる。
【０００９】
また、本発明においては、両側板間に底板の下面を受ける前後一対の横桟が架設され、背板の下端が後側の横桟の上方に隙間を存して対向し、この隙間に底板の後端が差し込まれた状態で、前側の横桟に形成した係合孔に底板の下面に突設した突起が上方から挿入されて、底板が前後方向に位置決めされることが望ましい。これによれば、底板の前側を持ち上げて、突起を係合孔から離脱させた状態で、底板を前方にずらせば、後側の横桟と背板の下端との間の隙間から底板の後端部が抜け出る。従って、底板を簡単に取り外すことができ、また、逆の手順で底板を簡単に取り付けることができる。
【図面の簡単な説明】
【００１０】
【図１】（ａ）本発明の実施形態のキャビネットをビルトイン式コンロの下側に設置した状態の断面図、（ｂ）図１（ａ）の丸ｂで囲われた部分の拡大図、（ｃ）図１（ａ）の丸ｃで囲われた部分の拡大図。
【図２】（ａ）実施形態のキャビネットの正面図、（ｂ）実施形態のキャビネットの側面図、（ｃ）実施形態のキャビネットの背面図。
【発明を実施するための形態】
【００１１】
図１を参照して、Ａは、システムキッチンのカウンタトップＢに組み込むビルトイン式コンロＣの下側に設けられていたオーブン（図示せず）に代えて設置される本発明の実施形態のコンロ下側キャビネットを示している。尚、キャビネットＡを設置する床面には、屋内ガス配管Ｄが配置されている。そして、オーブンが設置されていた時には、屋内ガス配管Ｄに可撓管を介してオーブンのガス入口を接続し、このガス入口から分岐した中継ガス管をオーブンに付設して、中継ガス管から第２の可撓管を介してコンロＣのガス入口Ｃａにガスを供給していたが、キャビネットＡを設置する場合は、屋内ガス配管Ｄからコンロ用可撓管Ｅを介してコンロＣのガス入口Ｃａにガスを供給する。
【００１２】
図２も参照して、キャビネットＡは、左右両側の側板１，１と、両側板１，１の上端間に設けられる天板２と、両側板１，１の後端間に設けられる背板３と、両側板１，１の前端間に設けられる開閉自在な前面扉４と、両側板１，１の下端から所定高さ上方位置で両側板１，１間に設けられる底板５とを備えている。そして、底板５を取り外し自在としている。
【００１３】
より具体的に説明すれば、両側板１，１間に、底板５の下面を受ける前後一対の横桟６Ｆ，６Ｒと、前側の横桟６Ｆの前面から垂下する蹴込板７とを架設している。そして、背板３の下端を後側の横桟６Ｒの上方に隙間を存して対向させ、この隙間に図１（ｂ）に示す如く底板５の後端を差し込んでいる。また、図１（ｃ）に示す如く、前側の横桟６Ｆの左右２箇所に係合孔６ａを形成すると共に、底板５の下面に各係合孔６ａに対応する突起（ダボ）５ａを突設している。そして、背板３の下端と後側の横桟６Ｒとの間の隙間に底板５の後端が差し込まれた状態で、係合孔６ａに突起５ａが上方から挿入されて、底板５が前後方向に位置決めされるようにしている。
【００１４】
これによれば、底板５の前側を持ち上げて、突起５ａを係合孔６ａから離脱させた状態で、底板５を前方にずらせば、後側の横桟６Ｒと背板３の下端との間の隙間から底板５の後端部が抜け出る。従って、底板５を簡単に取り外すことができ、また、逆の手順で底板５を簡単に取り付けることができる。
【００１５】
尚、両側板１，１の後端間に、後側の横桟６Ｒの上面に接する下部の横木８Ｌを架設し、底板５を取り付ける際に、下部の横木８Ｌが底板５の後端に当接するストッパとして機能するようにしている。また、両側板１，１の後端間に、上下方向中間の横木８Ｍと、上端の横木８Ｕとを架設し、背板３を、上端の横木８Ｕと中間の横木８Ｍとの前面に上下両端が固定される上部背板３Ｕと、中間の横木８Ｍと下部の横木８Ｌとの前面に上下両端が固定される下部背板３Ｌとで構成している。
【００１６】
キャビネットＡの設置作業に際しては、底板５と下部背板３Ｌとを取り外しておく。そして、キャビネットＡ設置後、前側の横桟６Ｆと後側の横桟６Ｒとの間の空間から手を差し入れて、屋内ガス配管Ｄにコンロ用可撓管Ｅを接続し、次に、中間の横木８Ｍと下部の横木８Ｌとの間の空間から手を差し入れて、コンロ用可撓管Ｅの下流端部をベニヤ板製の上部背板３Ｕに形成した穴３ａを通してキャビネットＡ内に挿入する。尚、穴３ａはシールパッキンＥａで閉塞される。次に、カウンタトップＢにビルトイン式コンロＣを組み込み、コンロＣ下面のガス入口Ｃａをベニヤ板製の天板２に形成した穴２ａに臨ませて、コンロ用可撓管Ｅの下流端をガス入口Ｃａに接続し、その後、下部背板３Ｌを中間の横木８Ｍと下部の横木８Ｌに木ネジ３ｂ等で固定すると共に、底板５を上記の如く取り付ける。
【００１７】
また、定期的に行われるガス漏れ検診に際しては、底板５を上記の如く取り外す。これにより、キャビネットＡを取り出すことなく、屋内ガス配管Ｄとコンロ用可撓管Ｅとの接続具合を簡単に確認でき、ガス漏れ検診作業が容易になる。
【００１８】
以上、本発明の実施形態について図面を参照して説明したが、本発明はこれに限定されない。例えば、突起５ａが係合孔６ａに挿入されて底板５の前部が前側の横桟６Ｆに着座した状態に係止する係止手段を設け、底板５が不用意に浮き上がることを防止できるようにしてもよい。また、上記実施形態の天板２を省略することも可能である。
【符号の説明】
【００１９】
Ａ…コンロ下側キャビネット、Ｃ…ビルトイン式コンロ、１…側板、３…背板、４…前面扉、５…底板、５ａ…突起、６Ｆ…前側の横桟、６ａ…係合孔、６Ｒ…後側の横桟。
【図１】
2015217117.tif 000003
【図２】
2015217117.tif 000004